【手続補正書】
【提出日】平成25年7月25日(2013.7.25)
【手続補正１】
【補正対象書類名】明細書
【補正対象項目名】００１１
【補正方法】変更
【補正の内容】
【００１１】
上記本件発明の目的を達成するため、本件発明によれば、記録装置は、入力された動画データを動画ファイルとして記録媒体に記録する記録手段と、識別情報を生成して動画ファイルに付加する付加手段とを有し、入力された動画データを含む動画ファイルを複数の記録媒体にそれぞれ記録する記録モードにおいて、付加手段は、同じ内容の動画ファイルに対して、同じ値の識別情報を生成して同じ内容の動画ファイルにそれぞれ付加し、記録手段は、複数の記録媒体のうち何れかの記録媒体の空き容量が所定値以下になったことに応じて、記録媒体の空き容量が所定値以下になった記録媒体に記録中の動画ファイルをクローズすると共に、複数の記録媒体のうち記録媒体の空き容量が所定値以下になった記録媒体以外の他の記録媒体に記録中の動画ファイルもクローズする。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００５４
【補正方法】変更
【補正の内容】
【００５４】
図３は、同時記録モードにおいて記録される動画ファイルと、各記録媒体の空き容量の様子を示す図である。３０１は記録媒体１０８に記録される動画ファイルの様子を示し、３０２は記録媒体１０９に記録される動画ファイルの様子を示している。時刻３０３で記録開始の指示があると、記録媒体１０８、１０９に対し、それぞれ動画ファイル３０７、３０９が作成され、記録される。また、各動画ファイル３０７、３０９に対しては、同じ値Ａを持つＵＵＩＤが付加される。この様に動画の記録を続け、時刻３０４で各動画ファイル３０７、３０９のサイズがファイル分割の閾値に達すると、動画ファイル３０７、３０９がクローズされる。そして、時刻３０５において、新たに動画ファイル３０８、３１０が作成されて、各記録媒体１０８、１０９に記録される。また、各動画ファイル３０８、３１０に対しては、同じ値Ｂを持つＵＵＩＤが付加される。そして、時刻３０６で記録停止の指示があると、動画ファイル３０８、３１０がクローズされ、各記録媒体１０８、１０９に対するデータの記録が停止される。
【手続補正５】
【補正対象書類名】明細書
【補正対象項目名】００５９
【補正方法】変更
【補正の内容】
【００５９】
また、４１１、４１２はそれぞれ、記録媒体１０８、１０９の空き容量を示している。同時記録を開始する前は、記録媒体１０８の空き容量が４１１の値であり、記録媒体１０９の空き容量が４１２の値である。そして、時刻４０３で動画の記録を開始すると、徐々に空き容量が減っていく。そして、時刻４０６の時点で、記録媒体１０９の空き容量がなくなる。すると、動画ファイル４０８、４１０がクローズされ、これ以降、記録媒体１０８、１０９に対する符号化データの記録が停止される。
【手続補正６】
【補正対象書類名】明細書
【補正対象項目名】００７５
【補正方法】変更
【補正の内容】
【００７５】
また、６１６、６１７はそれぞれ、記録媒体１０８、１０９の空き容量を示している。同時記録を開始する前は、記録媒体１０８の空き容量が６１４の値であり、記録媒体１０９の空き容量が６１５の値である。そして、時刻６０３で動画の記録を開始すると、徐々に空き容量が減っていく。そして、時刻６０６の時点で、記録媒体１０９の空き容量がなくなる。すると、動画ファイル６１０、６１３がクローズされる。記録媒体１０９の空き容量が無いので、これ以降、記録媒体１０９に対する符号化データの記録が停止される。
【手続補正７】
【補正対象書類名】明細書
【補正対象項目名】００９２
【補正方法】変更
【補正の内容】
【００９２】
図８は、第３の実施形態の同時記録モードにおいて記録される動画ファイルと、各記録媒体の空き容量の様子を示す図である。８０１は記録媒体１０８に記録される動画ファイルの様子を示し、８０２は記録媒体１０９に記録される動画ファイルの様子を示している。時刻８０３で記録開始の指示があると、記録媒体１０８、１０９に対し、それぞれ動画ファイル８０７、８０９が作成され、記録される。また、各動画ファイル８０７、８０９に対しては、同じ値Ｈを持つＵＵＩＤが付加される。この様に動画の記録を続け、時刻８０４で記録媒体１０９に対する記録停止の指示があると、動画ファイル８０７、８０９がクローズされる。これ以降、記録媒体１０９に対する動画の記録が停止される。そして、時刻８０５において、新たに動画ファイル８０８が作成され、記録媒体１０８に対する動画ファイルの記録が続けられる。動画ファイル８０８に対しては、値Ｉを持つＵＵＩＤが付加される。そして、時刻８０６で記録停止の指示があると、動画ファイル８０８がクローズされ、記録媒体１０８に対するデータの記録が停止される。
【手続補正８】
【補正対象書類名】特許請求の範囲
【補正対象項目名】全文
【補正方法】変更
【補正の内容】
【特許請求の範囲】
【請求項１】
入力された動画データを動画ファイルとして記録媒体に記録する記録手段と、
識別情報を生成して動画ファイルに付加する付加手段と、を有し、
入力された動画データを含む動画ファイルを複数の記録媒体にそれぞれ記録する記録モードにおいて、前記付加手段は、同じ内容の動画ファイルに対して、同じ値の識別情報を生成して前記同じ内容の動画ファイルにそれぞれ付加し、前記記録手段は、前記複数の記録媒体のうち何れかの記録媒体の空き容量が所定値以下になったことに応じて、前記記録媒体の空き容量が所定値以下になった記録媒体に記録中の動画ファイルをクローズすると共に、前記複数の記録媒体のうち前記記録媒体の空き容量が所定値以下になった記録媒体以外の他の記録媒体に記録中の動画ファイルもクローズすることを特徴とする記録装置。
【請求項２】
前記他の記録媒体のうち、記録媒体の空き容量が所定値より大きい記録媒体に対して、前記記録手段は、前記クローズした動画ファイルの動画データに続く動画データを新たな動画ファイルとして記録を続けることを特徴とする請求項１に記載の記録装置。
【請求項３】
前記付加手段は、前記クローズした動画ファイルの動画データに続く動画データを記録する新たな動画ファイルには、前記記録媒体の空き容量が所定値以下になったことに応じてクローズした動画ファイルとは異なる値の識別情報を生成して付加することを特徴とする請求項２に記載の記録装置。
【請求項４】
前記記録手段は、前記記録媒体の空き容量が所定値以下になった記録媒体と前記他の記録媒体とに記録中の動画ファイルをクローズした後、前記他の記録媒体に対する動画データの記録を停止することを特徴とする請求項１に記載の記録装置。
【請求項５】
入力された動画データを動画ファイルとして記録媒体に記録する工程と、
識別情報を生成して動画ファイルに付加する工程と、を有し、
入力された動画データを含む動画ファイルを複数の記録媒体にそれぞれ記録する記録モードにおいて、同じ内容の動画ファイルに対して、同じ値の識別情報を生成して前記同じ内容の動画ファイルにそれぞれ付加し、前記複数の記録媒体のうち何れかの記録媒体の空き容量が所定値以下になったことに応じて、前記記録媒体の空き容量が所定値以下になった記録媒体に記録中の動画ファイルをクローズすると共に、前記複数の記録媒体のうち前記記録媒体の空き容量が所定値以下になった記録媒体以外の他の記録媒体に記録中の動画ファイルもクローズすることを特徴とする記録方法。